(57)【特許請求の範囲】
【請求項１】
ユーザの所有する複数のコンテンツを管理するコンテンツ管理装置であって、
前記ユーザがＳＮＳサーバにアップロードしたコンテンツを検出する第１検出部と、
前記ユーザにより前記ＳＮＳサーバにアップロードされたコンテンツの管理情報と、ホームネットワークを介して前記コンテンツ管理装置に接続されている宅内機器に保存されているコンテンツの管理情報とを生成する管理情報生成部と、
前記アップロードされたコンテンツの管理情報を記憶する第１管理情報記憶部と、
前記宅内機器に保存されているコンテンツの管理情報を記憶する第２管理情報記憶部と、
前記宅内機器に新たに保存された新規コンテンツを検出する第２検出部と、
前記新規コンテンツが検出された場合に、前記第１管理情報記憶部及び前記第２管理情報記憶部に記憶されている管理情報のうち、前記第１管理情報記憶部に管理情報が記憶されている第１コンテンツと、前記新規コンテンツとの同一性を第１の方法により検証する同一性検証部と、
前記第１コンテンツと前記新規コンテンツとが同一性を有する場合、前記第１コンテンツと前記新規コンテンツとが同一性を有していることを示すリンク情報を生成するリンク情報生成部とを備え、
前記管理情報生成部は、（１）当該第１コンテンツの管理情報に前記リンク情報を付加する、又は、（２）前記リンク情報を含む、前記新規コンテンツの管理情報を生成し、
前記同一性検証部は、前記同一性の検証を、前記第１検出部において前記ＳＮＳサーバにアップロードされたコンテンツが検出された際には行わない
コンテンツ管理装置。
【請求項２】
前記同一性検証部は、前記第１の方法として、前記新規コンテンツと前記第１コンテンツとの画像パターンを照合する
請求項１記載のコンテンツ管理装置。
【請求項３】
前記新規コンテンツ及び前記宅内機器に保存されているコンテンツには、当該コンテンツが撮影された環境及び日時の少なくとも一方を示すメタ情報が付加されており、
前記同一性検証部は、さらに、前記新規コンテンツに付加されているメタ情報と、前記宅内機器に保存されているコンテンツに付加されているメタ情報とを用いて、前記新規コンテンツと前記宅内機器に保存されているコンテンツとの同一性を検証する
請求項２記載のコンテンツ管理装置。
【請求項４】
前記アップロードされたコンテンツには、当該コンテンツが撮影された環境及び日時の少なくとも一方を示すメタ情報が付加されていない
請求項２記載のコンテンツ管理装置。
【請求項５】
前記第１管理情報記憶部は、アップロードされた複数のコンテンツの複数の管理情報を記憶し、
前記同一性検証部は、前記新規コンテンツが検出された場合に、前記第１管理情報記憶部に管理情報が記憶される複数の第１コンテンツのうち前記リンク情報が付加されていない第１コンテンツである未リンクコンテンツを判定し、当該未リンクコンテンツと、前記新規コンテンツとの同一性を前記第１の方法により検証する
請求項１〜４のいずれか１項に記載のコンテンツ管理装置。
【請求項６】
前記アップロードされたコンテンツは、携帯機器に保持される第２コンテンツが、前記ユーザにより当該携帯機器から、前記ホームネットワークを介さずに、前記ＳＮＳサーバにアップロードされたコンテンツであり、
前記第２検出部は、前記携帯機器が前記ホームネットワークに接続された際に、前記携帯機器に保持されている前記第２コンテンツを前記新規コンテンツとして検出する
請求項１〜５のいずれか１項に記載のコンテンツ管理装置。
【請求項７】
前記コンテンツ管理装置は、さらに、
未検証コンテンツの管理情報を記憶する第２管理情報記憶部を備え、
前記同一性検証部は、前記新規コンテンツが検出された場合に、
当該第１検出部が、前記ＳＮＳサーバにアップロードされたコンテンツを検出するために、前記ＳＮＳサーバにアップロードされているコンテンツを正常に確認した最後の時刻を示す確認時刻と、前記新規コンテンツの撮影時刻とを比較し、
前記撮影時刻が前記確認時刻より前の場合、前記新規コンテンツと前記第１コンテンツとの同一性を前記第１の方法により検証し、
前記撮影時刻が前記確認時刻より後の場合、前記確認時刻が更新されることで、前記撮影時刻が更新後の前記確認時刻より後になった後に、前記新規コンテンツと前記第１コンテンツとの同一性を検証する
請求項１〜６のいずれか１項に記載のコンテンツ管理装置。
【請求項８】
ユーザの所有するコンテンツを管理するコンテンツ管理装置におけるコンテンツ管理方法であって、
前記ユーザがＳＮＳサーバにアップロードしたコンテンツを検出する第１検出ステップと、
前記ユーザにより前記ＳＮＳサーバにアップロードされたコンテンツの管理情報を生成する第１生成ステップと、
前記アップロードされたコンテンツの管理情報を第１管理情報記憶部に記憶する第１記憶ステップと、
ホームネットワークを介して前記コンテンツ管理装置に接続されている宅内機器に保存されているコンテンツの管理情報を生成する第２生成ステップと、
前記宅内機器に保存されているコンテンツの管理情報を第２管理情報記憶部に記憶する第２記憶ステップと、
前記宅内機器に新たに保存された新規コンテンツを検出する第２検出ステップと、
前記新規コンテンツが検出された場合に、前記第１管理情報記憶部及び前記第２管理情報記憶部に記憶されている管理情報のうち、前記第１管理情報記憶部に管理情報が記憶されている第１コンテンツと、前記新規コンテンツとの同一性を第１の方法により検証する同一性検証ステップと、
前記第１コンテンツと前記新規コンテンツとが同一性を有する場合、前記第１コンテンツと前記新規コンテンツとが同一性を有していることを示すリンク情報を生成するリンク情報生成ステップと、
（１）当該第１コンテンツの管理情報に前記リンク情報を付加する、又は、（２）前記リンク情報を含む、前記新規コンテンツの管理情報を生成する第３生成ステップとを含み、
前記同一性検証ステップでは、前記同一性の検証を、前記第１検出ステップにおいて前記ＳＮＳサーバにアップロードされたコンテンツが検出された際には行わない
コンテンツ管理方法。
【請求項９】
請求項８記載のコンテンツ管理方法をコンピュータに実行させるための
プログラム。
【請求項１０】
ユーザの所有する複数のコンテンツを管理するコンテンツ管理装置に用いられる集積回路であって、
前記ユーザがＳＮＳサーバにアップロードしたコンテンツを検出する第１検出部と、
前記ユーザにより前記ＳＮＳサーバにアップロードされたコンテンツの管理情報と、ホームネットワークを介して前記コンテンツ管理装置に接続されている宅内機器に保存されているコンテンツの管理情報とを生成する管理情報生成部と、
前記アップロードされたコンテンツの管理情報を記憶する第１管理情報記憶部と、
前記宅内機器に保存されているコンテンツの管理情報を記憶する第２管理情報記憶部と、
前記宅内機器に新たに保存された新規コンテンツを検出する第２検出部と、
前記新規コンテンツが検出された場合に、前記第１管理情報記憶部及び前記第２管理情報記憶部に記憶されている管理情報のうち、前記第１管理情報記憶部に管理情報が記憶されている第１コンテンツと、前記新規コンテンツとの同一性を第１の方法により検証する同一性検証部と、
前記第１コンテンツと前記新規コンテンツとが同一性を有する場合、前記第１コンテンツと前記新規コンテンツとが同一性を有していることを示すリンク情報を生成するリンク情報生成部とを備え、
前記管理情報生成部は、（１）当該第１コンテンツの管理情報に前記リンク情報を付加する、又は、（２）前記リンク情報を含む、前記新規コンテンツの管理情報を生成し、
前記同一性検証部は、前記同一性の検証を、前記第１検出部において前記ＳＮＳサーバにアップロードされたコンテンツが検出された際には行わない
集積回路。
【発明の詳細な説明】
【技術分野】
【０００１】
本発明は、ユーザが所有するコンテンツを管理するコンテンツ管理装置及びコンテンツ管理方法に関する。
【背景技術】
【０００２】
近年、デジタル化及びネットワーク化の進展に伴い、家庭内の様々な電子機器（テレビ及びハードディスクレコーダ等のホームＡＶ機器、パソコン及びタブレット等の情報機器、並びにデジタルビデオ、デジタルカメラ及びスマートフォン等のモバイル機器）に、写真及び動画等のＡＶコンテンツが大量に保存される。よって、ユーザは、各コンテンツがどの機器のどこに保存されているのかを覚えていないと、あるコンテンツを閲覧したいと思っても、そのコンテンツを簡単に探し出すことができない。また、あるコンテンツをパソコン等の機器で編集し、違う機器にコピーした場合には、ユーザが現在閲覧しているコンテンツの編集前の（オリジナルの）コンテンツがどこにあるのかも簡単に探し出すことができない。【０００３】
これに対して、家庭内の全てのコンテンツを統合的に管理するシステム（コンテンツ管理システム）が提案されている（例えば、特許文献１及び特許文献２参照）。【０００４】
このコンテンツ管理システムでは、各電子機器をネットワークで接続したホームネットワークが構築される。そして、各電子機器に保存されているコンテンツの属性（例えば、保存場所、フォーマット及び作成日時等）を一元管理するコンテンツ管理データベースが作成される。そのデータベースを管理するコンテンツ管理装置がホームネットワーク上に設置される。【０００５】
上記コンテンツ管理システムでは、ユーザは、所望するコンテンツがどの機器に保存されているかを覚えておく必要はなく、コンテンツ管理データベースを検索するだけで、目的のコンテンツを簡単に閲覧することができる。また、コンテンツの編集履歴も統一的に管理されているので、ユーザは、現在閲覧しているコンテンツのオリジナルを簡単に探し出すことが可能である。
【先行技術文献】
【特許文献】
【０００６】
【特許文献１】特開２００２−２５９３９６号公報
【特許文献２】国際公開第２０１０／０２７６５３号
【発明の概要】
【発明が解決しようとする課題】
【０００７】
ところで、このようなコンテンツ管理装置では、処理時間を短縮することが望まれている。【０００８】
そこで、本発明は、処理時間を短縮できるコンテンツ管理装置を提供することを目的とする。
【課題を解決するための手段】
【０００９】
上記目的を達成するために、本発明の一態様に係るコンテンツ管理装置は、ユーザの所有する複数のコンテンツを管理するコンテンツ管理装置であって、前記ユーザがＳＮＳサーバにアップロードしたコンテンツを検出する第１検出部と、前記ユーザにより前記ＳＮＳサーバにアップロードされたコンテンツの管理情報と、ホームネットワークを介して前記コンテンツ管理装置に接続されている宅内機器に保存されているコンテンツの管理情報とを生成する管理情報生成部と、前記アップロードされたコンテンツの管理情報を記憶する第１管理情報記憶部と、前記宅内機器に保存されているコンテンツの管理情報を記憶する第２管理情報記憶部と、前記宅内機器に新たに保存された新規コンテンツを検出する第２検出部と、前記新規コンテンツが検出された場合に、前記第１管理情報記憶部及び前記第２管理情報記憶部に記憶されている管理情報のうち、前記第１管理情報記憶部に管理情報が記憶されている第１コンテンツと、前記新規コンテンツとの同一性を第１の方法により検証する同一性検証部と、前記第１コンテンツと前記新規コンテンツとが同一性を有する場合、前記第１コンテンツと前記新規コンテンツとが同一性を有していることを示すリンク情報を生成するリンク情報生成部とを備え、前記管理情報生成部は、（１）当該第１コンテンツの管理情報に前記リンク情報を付加する、又は、（２）前記リンク情報を含む、前記新規コンテンツの管理情報を生成し、前記同一性検証部は、前記同一性の検証を、前記第１検出部において前記ＳＮＳサーバにアップロードされたコンテンツが検出された際には行わない。
【００１０】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【００１１】
本発明は、処理時間を短縮できるコンテンツ管理装置を提供できる。
【図面の簡単な説明】
【００１２】
【図１】図１は、実施の形態１に係るコンテンツ管理装置のブロック図である。
【図２】図２は、実施の形態１に係るコンテンツ管理装置によるコンテンツ管理処理のフローチャートである。
【図３】図３は、実施の形態１に係るコンテンツ管理装置を含むコンテンツ管理システムのブロック図である。
【図４Ａ】図４Ａは、実施の形態１に係る管理情報の一例を示す図である。
【図４Ｂ】図４Ｂは、実施の形態１に係る管理情報の一例を示す図である。
【図５】図５は、実施の形態１に係るコンテンツ管理処理を説明するための模式図である。
【図６】図６は、実施の形態１に係るアップロードコンテンツ処理のフローチャートである。
【図７】図７は、実施の形態１に係る宅内コンテンツ処理のフローチャートである。
【図８】図８は、実施の形態１に係る同一性検証処理のフローチャートである。
【図９】図９は、実施の形態１に係る同一性検証処理の変形例のフローチャートである。
【図１０】図１０は、実施の形態２に係るコンテンツ管理処理を説明するための模式図である。
【図１１】図１１は、実施の形態２に係るコンテンツ管理装置のブロック図である。
【図１２】図１２は、実施の形態２に係る宅内コンテンツ処理のフローチャートである。
【図１３】図１３は、実施の形態２に係る確認時刻更新時の処理のフローチャートである。
【発明を実施するための形態】
【００１３】
（本発明の基礎となった知見）
本発明者は、従来の技術において、以下の問題が生じることを見出した。
【００１４】
最近では、ブロードバンド通信の高速化及びクラウドサービスの普及により、ユーザは、コンテンツを、家庭内に保存するだけでなく、ＳＮＳ等のインターネット上の商用サービスにアップロードすることができる。これにより、ユーザは、インターネットを介して、簡単にコンテンツを見たり、コンテンツを友人と共有したりできる。また、近年、無線ブロードバンドの高速化と、カメラ付きスマートフォン及び無線通信機能つきデジタルカメラ等のモバイル機器の普及とが進んでいる。これにより、ユーザは、撮影した写真及びムービー等のＡＶコンテンツを、どこからでも、直接、インターネットサービスに保存できる。
【００１５】
従って、ユーザが所有する全てのＡＶコンテンツを一元管理するためには、ホームネットワーク内のＡＶコンテンツだけではなく、ユーザが宅外からモバイル機器を用いて、直接インターネットサービスにアップロードしたＡＶコンテンツも、コンテンツ管理装置に登録し、管理する必要がある。
【００１６】
しかしながら、従来のコンテンツ管理システムでは、家庭内の各電子機器に保存されたＡＶコンテンツを一元管理することは可能であるが、ホームネットワーク外、例えば、インターネットサービス上に保存されているＡＶコンテンツを、宅内のＡＶコンテンツと同じように一元管理することは簡単にできないという課題を有する。
【００１７】
以下、具体的に説明する。ユーザが、宅外でモバイル機器を用いて、インターネットサービスに直接アップロードしたＡＶコンテンツを、コンテンツ管理システムで一元管理する方法として以下の方法が考えられる。例えば、コンテンツ管理装置は、ホームネットワーク上の特定の電子機器の特定領域に、インターネットサービスに保存されているＡＶコンテンツをダウンロードして保存する。これにより、コンテンツ管理装置は、それらのＡＶコンテンツをコンテンツ管理データベースに登録することができる。
【００１８】
しかし、次に、アップロードに用いたモバイル機器をホームネットワークに接続した場合には、モバイル機器に保存されているＡＶコンテンツもコンテンツ管理データベースに登録されてしまう。これにより、同一のコンテンツが二重登録されてしまう。その結果、インターネットサービスにアップロードされたコンテンツと、コンテンツを作成したモバイル機器に保存されているコンテンツとの関係は、コピーとオリジナルとの関係ではなく、全く別のコンテンツとして管理データベースに登録されてしまう。このようにインターネットサービスに保存されているコンテンツとホームネットワーク上にあるコンテンツとを一元管理することができないという問題が生じる。
【００１９】
これに対して、例えば、コンテンツ管理装置が、コンテンツ管理データベースに新たなコンテンツを登録する際に、コンテンツに付加されているメタ情報（メタデータ）、例えば、写真であれば日時及び場所等を示す撮影情報（Ｅｘｉｆデータ）を検索キーとして用いて、コンテンツ管理データベースを検索する方法が考えられる。これにより、既に登録されている同一コンテンツを検出することができれば、管理データベースに同一のコンテンツが二重登録されることを避けることができる。
【００２０】
しかし、通常、商用のＳＮＳ（Ｓｏｃｉａｌ  Ｎｅｔｗｏｒｋｉｎｇ  Ｓｅｒｖｉｃｅ）では、ＡＶコンテンツがアップロードされた場合に、ＡＶコンテンツを効率よく保存するために、ＡＶコンテンツの圧縮及びメタ情報の削除等、コンテンツのサイズを小さくする処理が自動的に行われる。従って、これらのＡＶコンテンツをダウンロードしても、検索キーとなるメタ情報がない場合がある。よって、このような場合、二重登録を避けるためには、コンテンツ管理装置は、新たに登録するコンテンツと、コンテンツ管理データベースに登録されている全てのコンテンツの内容同士（例えば、画像パターン又は動画パターン）を直接マッチングすることで、これらのコンテンツが同一かどうか判定しなければならない。しかし、画像又は動画のパターンマッチングには、非常に長い処理時間がかかる。特に、家庭内にある全てのコンテンツと照合するためには、膨大な時間が必要となることを本発明者は見出した。
【００２１】
本実施の形態では、ユーザが、モバイル機器を用いて、宅外からＳＮＳ等のインターネットサービスにアップロードしたユーザ所有のコンテンツを、家庭内のホームネットワーク上のコンテンツと同様に一元管理することが可能で、更に、管理データベースを作成するための処理時間を短縮することが可能なコンテンツ管理装置について説明する。
【００２２】
本発明の一態様に係るコンテンツ管理装置は、ユーザの所有する複数のコンテンツを管理するコンテンツ管理装置であって、前記ユーザがネットワークサービスにアップロードしたコンテンツを検出する第１検出部と、前記ユーザにより前記ネットワークサービスにアップロードされたコンテンツの管理情報と、ネットワークを介して前記コンテンツ管理装置に接続されている機器に保存されているコンテンツの管理情報とを生成する管理情報生成部と、前記アップロードされたコンテンツの管理情報を記憶する第１管理情報記憶部と、前記機器に保存されているコンテンツの管理情報を記憶する第２管理情報記憶部と、前記機器に新たに保存された新規コンテンツを検出する第２検出部と、前記新規コンテンツが検出された場合に、前記第１管理情報記憶部及び前記第２管理情報記憶部に記憶されている管理情報のうち、前記第１管理情報記憶部に管理情報が記憶されている第１コンテンツと、前記新規コンテンツとの同一性を第１の方法により検証する同一性検証部と、前記第１コンテンツと前記新規コンテンツとが同一性を有する場合、前記第１コンテンツと前記新規コンテンツとが同一性を有していることを示すリンク情報を生成するリンク情報生成部とを備え、前記管理情報生成部は、（１）当該第１コンテンツの管理情報に前記リンク情報を付加する、又は、（２）前記リンク情報を含む、前記新規コンテンツの管理情報を生成する。
【００２３】
この構成によれば、当該コンテンツ管理装置は、ネットワークに接続された機器に保存されているコンテンツの管理情報と、ネットワークサービスにアップロードロードされたコンテンツの管理情報とを個別に記憶する。そして、当該コンテンツ管理装置は、ネットワークに接続された機器に新たに保存された新規コンテンツが検出された場合に、当該新規コンテンツと、ネットワークサービスにアップロードされたコンテンツとの同一性を検証する。これにより、当該コンテンツ管理装置は、機器に保存されているコンテンツ及びアップロードされたコンテンツが単一のデータベースで管理されている場合に比べ、ネットワークサービスにアップロードされたコンテンツの抽出を容易に行えるので処理時間を短縮できる。
【００２４】
例えば、前記同一性検証部は、前記第１の方法として、前記新規コンテンツと前記第１コンテンツとの画像パターンを照合してもよい。
【００２５】
この構成によれば、当該コンテンツ管理装置は、処理時間の長い画像パターンの照合処理の回数を低減できるので、処理時間を大きく短縮できる。
【００２６】
例えば、前記新規コンテンツ及び前記機器に保存されているコンテンツには、当該コンテンツが撮影された環境及び日時の少なくとも一方を示すメタ情報が付加されており、前記同一性検証部は、さらに、前記新規コンテンツに付加されているメタ情報と、前記機器に保存されているコンテンツに付加されているメタ情報とを用いて、前記新規コンテンツと前記機器に保存されているコンテンツとの同一性を検証してもよい。
【００２７】
例えば、前記アップロードされたコンテンツには、当該コンテンツが撮影された環境及び日時の少なくとも一方を示すメタ情報が付加されていなくてもよい。
【００２８】
例えば、前記第１管理情報記憶部は、アップロードされた複数のコンテンツの複数の管理情報を記憶し、前記同一性検証部は、前記新規コンテンツが検出された場合に、前記第１管理情報記憶部に管理情報が記憶される複数の第１コンテンツのうち前記リンク情報が付加されていない第１コンテンツである未リンクコンテンツを判定し、当該未リンクコンテンツと、前記新規コンテンツとの同一性を前記第１の方法により検証してもよい。
【００２９】
この構成によれば、当該コンテンツ管理装置は、複数の第１コンテンツのうち、リンク情報が付加されていない、新たにアップロードされたコンテンツを判定し、当該コンテンツと、新規コンテンツとの同一性を検証する。これにより、当該コンテンツ管理装置は、さらに、処理時間を短縮できる。
【００３０】
例えば、前記ネットワークは、ホームネットワークであり、前記アップロードされたコンテンツは、携帯機器に保持される第２コンテンツが、前記ユーザにより当該携帯機器から、前記ホームネットワークを介さずに、前記ネットワークサービスにアップロードされたコンテンツであり、前記第２検出部は、前記携帯機器が前記ホームネットワークに接続された際に、前記携帯機器に保持されている前記第２コンテンツを前記新規コンテンツとして検出してもよい。
【００３１】
例えば、前記コンテンツ管理装置は、さらに、未検証コンテンツの管理情報を記憶する第２管理情報記憶部を備え、前記同一性検証部は、前記新規コンテンツが検出された場合に、当該第１検出部が、前記ネットワークサービスにアップロードされたコンテンツを検出するために、前記ネットワークサービスにアップロードされているコンテンツを正常に確認した最後の時刻を示す確認時刻と、前記新規コンテンツの撮影時刻とを比較し、前記撮影時刻が前記確認時刻より前の場合、前記新規コンテンツと前記第１コンテンツとの同一性を前記第１の方法により検証し、前記撮影時刻が前記確認時刻より後の場合、前記確認時刻が更新されることで、前記撮影時刻が更新後の前記確認時刻より後になった後に、前記新規コンテンツと前記第１コンテンツとの同一性を検証してもよい。
【００３２】
この構成によれば、当該コンテンツ管理装置は、例えば、通信障害により、ネットワークサービスにアップロードされたコンテンツを確認できない状態が発生したとしても、アップロードされたコンテンツと新規コンテンツとの同一性を正しく検証できる。
【００３３】
また、本発明の一態様に係るコンテンツ管理方法は、ユーザの所有するコンテンツを管理するコンテンツ管理装置におけるコンテンツ管理方法であって、前記ユーザがネットワークサービスにアップロードしたコンテンツを検出する第１検出ステップと、前記ユーザにより前記ネットワークサービスにアップロードされたコンテンツの管理情報を生成する第１生成ステップと、前記アップロードされたコンテンツの管理情報を第１管理情報記憶部に記憶する第１記憶ステップと、ネットワークを介して前記コンテンツ管理装置に接続されている機器に保存されているコンテンツの管理情報を生成する第２生成ステップと、前記機器に保存されているコンテンツの管理情報を第２管理情報記憶部に記憶する第２記憶ステップと、前記機器に新たに保存された新規コンテンツを検出する第２検出ステップと、前記新規コンテンツが検出された場合に、前記第１管理情報記憶部及び前記第２管理情報記憶部に記憶されている管理情報のうち、前記第１管理情報記憶部に管理情報が記憶されている第１コンテンツと、前記新規コンテンツとの同一性を第１の方法により検証する同一性検証ステップと、前記第１コンテンツと前記新規コンテンツとが同一性を有する場合、前記第１コンテンツと前記新規コンテンツとが同一性を有していることを示すリンク情報を生成するリンク情報生成ステップと、（１）当該第１コンテンツの管理情報に前記リンク情報を付加する、又は、（２）前記リンク情報を含む、前記新規コンテンツの管理情報を生成する第３生成ステップとを含む。
【００３４】
これによれば、当該コンテンツ管理方法は、ネットワークに接続された機器に保存されているコンテンツの管理情報と、ネットワークサービスにアップロードロードされたコンテンツの管理情報とを個別に記憶する。そして、当該コンテンツ管理方法は、ネットワークに接続された機器に新たに保存された新規コンテンツが検出された場合に、当該新規コンテンツと、ネットワークサービスにアップロードされたコンテンツとの同一性を検証する。これにより、当該コンテンツ管理方法は、機器に保存されているコンテンツ及びアップロードされたコンテンツが単一のデータベースで管理されている場合に比べ、ネットワークサービスにアップロードされたコンテンツの抽出を容易に行えるので処理時間を短縮できる。
【００３５】
また、本発明の一態様に係るプログラムは、前記コンテンツ管理方法をコンピュータに実行させるためのプログラムである。
【００３６】
また、本発明の一態様に係る集積回路は、ユーザの所有する複数のコンテンツを管理する集積回路であって、前記ユーザがネットワークサービスにアップロードしたコンテンツを検出する第１検出部と、前記ユーザにより前記ネットワークサービスにアップロードされたコンテンツの管理情報と、ネットワークを介して前記コンテンツ管理装置に接続されている機器に保存されているコンテンツの管理情報とを生成する管理情報生成部と、前記アップロードされたコンテンツの管理情報を記憶する第１管理情報記憶部と、前記機器に保存されているコンテンツの管理情報を記憶する第２管理情報記憶部と、前記機器に新たに保存された新規コンテンツを検出する第２検出部と、前記新規コンテンツが検出された場合に、前記第１管理情報記憶部及び前記第２管理情報記憶部に記憶されている管理情報のうち、前記第１管理情報記憶部に管理情報が記憶されている第１コンテンツと、前記新規コンテンツとの同一性を第１の方法により検証する同一性検証部と、前記第１コンテンツと前記新規コンテンツとが同一性を有する場合、前記第１コンテンツと前記新規コンテンツとが同一性を有していることを示すリンク情報を生成するリンク情報生成部とを備え、前記管理情報生成部は、（１）当該第１コンテンツの管理情報に前記リンク情報を付加する、又は、（２）前記リンク情報を含む、前記新規コンテンツの管理情報を生成する。
【００３７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【００３８】
以下、本発明の実施の形態について、図面を参照しながら説明する。
【００３９】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４０】
（実施の形態１）
本実施の形態に係るコンテンツ管理装置は、ホームネットワークに接続された機器に新たに保存された新規コンテンツが検出された場合に、当該新規コンテンツと、ネットワークサービスにアップロードされたコンテンツとの同一性を検証する。これにより、当該コンテンツ管理装置は、全てのコンテンツと新規コンテンツとの同一性を検証する場合に比べ、処理時間を短縮できる。
【００４１】
まず、本実施の形態に係るコンテンツ管理装置１００の概略構成及びその動作を説明する。
【００４２】
図１は、本実施の形態に係るコンテンツ管理装置１００の概略構成を示すブロック図である。図１に示すコンテンツ管理装置１００は、ユーザの所有する複数のコンテンツを一元管理する。このコンテンツ管理装置１００は、アップロードコンテンツ検出部１０２と、管理情報生成部１０４と、宅内コンテンツ検出部１０６と、同一性検証部１０７と、リンク情報生成部１０８と、アップロードコンテンツ情報記憶部１１０と、宅内コンテンツ情報記憶部１１１とを備える。
【００４３】
アップロードコンテンツ検出部１０２は、第１検出部の一例であり、ユーザがネットワークサービスにアップロードしたコンテンツを検出する。
【００４４】
管理情報生成部１０４は、ユーザによりネットワークサービスにアップロードされたアップロードコンテンツの管理情報を生成する。また、管理情報生成部１０４は、ホームネットワークに接続された宅内機器に保存されている宅内コンテンツの管理情報を生成する。
【００４５】
アップロードコンテンツ情報記憶部１１０は、第１管理情報記憶部の一例であり、アップロードコンテンツの管理情報を記憶する。
【００４６】
宅内コンテンツ情報記憶部１１１は、第２管理情報記憶部の一例であり、宅内コンテンツの管理情報を記憶する。
【００４７】
宅内コンテンツ検出部１０６は、第２検出部の一例であり、宅内機器に新たに保存された新規コンテンツを検出する。
【００４８】
同一性検証部１０７は、新規コンテンツが検出された場合に、アップロードコンテンツ情報記憶部１１０及び宅内コンテンツ情報記憶部１１１に記憶されている管理情報のうち、アップロードコンテンツ情報記憶部１１０に管理情報が記憶されているアップロードコンテンツ（第１コンテンツ）と、新規コンテンツとの同一性を第１の方法により検証する。ここで、第１の方法とは、例えば、アップロードコンテンツの内容と、新規コンテンツの内容とを比較する方法であり、具体的には、新規コンテンツとアップロードコンテンツとの画像パターンを照合する方法である。
【００４９】
リンク情報生成部１０８は、アップロードコンテンツと新規コンテンツとが同一性を有する場合、アップロードコンテンツと新規コンテンツとが同一性を有していることを示すリンク情報を生成する。
【００５０】
また、管理情報生成部１０４は、アップロードコンテンツと新規コンテンツとが同一性を有する場合、（１）アップロードコンテンツの管理情報にリンク情報を付加する、又は、（２）リンク情報を含む、新規コンテンツの管理情報を生成する。
【００５１】
図２は、コンテンツ管理装置１００によるコンテンツ管理処理（コンテンツ管理方法）のフローチャートである。
【００５２】
まず、アップロードコンテンツ検出部１０２は、ユーザがネットワークサービスにアップロードしたアップロードコンテンツを検出する（Ｓ１０１）。次に、管理情報生成部１０４は、検出されたアップロードコンテンツの管理情報を生成し、生成された管理情報をアップロードコンテンツ情報記憶部１１０に記憶する（Ｓ１０２）。この処理は、新たなアップロードコンテンツが検出される毎に行われる。
【００５３】
次に、宅内コンテンツ検出部１０６は、宅内機器に新たに保存された新規コンテンツを検出する（Ｓ１０３）。次に、同一性検証部１０７は、新規コンテンツが検出された場合に、新規コンテンツとアップロードコンテンツとの同一性を検証する（Ｓ１０４）。
【００５４】
アップロードコンテンツと新規コンテンツとが同一性を有する場合（Ｓ１０５でＹｅｓ）、リンク情報生成部１０８は、アップロードコンテンツと新規コンテンツとが同一性を有していることを示すリンク情報を生成する（Ｓ１０６）。次に、管理情報生成部１０４は、生成されたリンク情報、及び新規コンテンツの管理情報を記憶する（Ｓ１０７）。具体的には、管理情報生成部１０４は、アップロードコンテンツ情報記憶部１１０に格納されているアップロードコンテンツの管理情報にリンク情報を付加する。また、管理情報生成部１０４は、リンク情報を含む新規コンテンツの管理情報を生成し、生成された管理情報を宅内コンテンツ情報記憶部１１１に記憶する。なお、管理情報生成部１０４は、アップロードコンテンツの管理情報にリンク情報を付加する処理と、リンク情報を含む新規コンテンツの管理情報を生成する処理とのうち一方のみを行ってもよい。
【００５５】
一方、アップロードコンテンツと新規コンテンツとが同一性を有さない場合（Ｓ１０５でＮｏ）、管理情報生成部１０４は、新規コンテンツの管理情報を生成し、生成された管理情報を宅内コンテンツ情報記憶部１１１に記憶する（Ｓ１０８）。
【００５６】
以上により、コンテンツ管理装置１００は、宅内機器に新たに保存された新規コンテンツが検出された場合に、当該新規コンテンツと、アップロードコンテンツ情報記憶部１１０に管理情報が記憶されているアップロードコンテンツとの同一性を検証する。これにより、コンテンツ管理装置１００は、アップロードコンテンツ及び宅内コンテンツの両方と新規コンテンツとの同一性を検証する場合に比べ、処理時間を短縮できる。
【００５７】
以下、コンテンツ管理装置１００及びその動作を詳細に説明する。
【００５８】
図３は、本実施の形態に係るコンテンツ管理装置１００を含むコンテンツ管理システムの構成を示すブロック図である。図３に示すコンテンツ管理システムは、コンテンツ管理装置１００と、ＳＮＳサーバ２００と、モバイル機器３００と、コンテンツ再生機器４００と、コンテンツ保存機器５００と、インターネット６００と、宅内ルータ７００とを含む。
【００５９】
コンテンツ管理装置１００は、宅内のホームネットワーク（家庭内ＬＡＮ）に接続されている様々な電子機器である宅内機器に保存されているコンテンツ（写真及び動画等）である複数の宅内コンテンツを管理する。宅内機器は、例えば、テレビ及びハードディスクレコーダ等のホームＡＶ機器、パソコン及びタブレット等の情報機器、並びに、ムービー、デジタルカメラ及びスマートフォン等のモバイル機器である。さらに、コンテンツ管理装置１００は、ネットワークサービス（例えば、ＳＮＳ）に、ユーザがインターネットを経由してアップロードして保存しているコンテンツである複数のアップロードコンテンツを管理する。また、コンテンツ管理装置１００は、これらの複数の宅内コンテンツ及び複数のアップロードコンテンツを一元管理する。例えば、コンテンツ管理装置１００は、ホームネットワークに接続された宅内機器のいずれかに内蔵される。
【００６０】
ＳＮＳサーバ２００は、例えば、Ｆａｃｅｂｏｏｋ（登録商標）又はｍｉｘｉ（登録商標）等のＳＮＳを提供するサーバである。ＳＮＳサーバ２００は、サービスの一つとして、ユーザが所有する写真又は動画等のコンテンツを保存し、当該コンテンツを友人と共有できる機能を持っている。
【００６１】
このＳＮＳサーバ２００は、ネットワークサービス（インターネットサービス）のサーバの一例であり、通信部２０１と、コンテンツ変換部２０２と、コンテンツデータベース２０３とを備える。通信部２０１は、インターネット６００を介してデータ通信を行う。コンテンツデータベース２０３は、ユーザからアップロードされたコンテンツを管理する。コンテンツ変換部２０２は、多くのユーザからの大量のコンテンツを保存するために、ユーザから送信されたコンテンツのデータ量を削減する。具体的には、コンテンツ変換部２０２は、コンテンツを圧縮したり、写真の場合なら撮影情報（Ｅｘｉｆ）等のメタ情報を削除したりする処理等を行う。
【００６２】
モバイル機器３００は、例えば、無線機能つきのデジタルカメラ或いはデジタルムービー等のＡＶモバイル機器、カメラ機能つきの携帯電話、又は、スマートフォン等である。このモバイル機器３００は、撮影した写真又は動画を無線により、ＳＮＳサーバ２００に送信する機能を持っている。
【００６３】
このモバイル機器３００は、カメラ３０１と、コンテンツ記憶部３０２と、通信部３０３とを備える。カメラ３０１は、写真及び動画等のコンテンツを撮影する。コンテンツ記憶部３０２は、カメラ３０１で撮影されたコンテンツを保存する。通信部３０３は、コンテンツ記憶部３０２に保存されているコンテンツを、インターネット６００を介して、ＳＮＳサーバ２００にアップロードする。また、通信部３０３は、ホームネットワーク（宅内ルータ７００）を介して、コンテンツ管理装置１００又は他の宅内機器（コンテンツ再生機器４００及びコンテンツ保存機器５００）に送信する。
【００６４】
コンテンツ再生機器４００は、宅内機器の一例であり、例えば、ＤＬＮＡ（Ｄｉｇｉｔａｌ  Ｌｉｖｉｎｇ  Ｎｅｔｗｏｒｋ  Ａｌｌｉａｎｃｅ）機能を有するデジタルテレビ又はパソコン等である。コンテンツ再生機器４００は、ホームネットワークに接続されている宅内機器に保存されているコンテンツを表示する機能を有する。
【００６５】
このコンテンツ再生機器４００は、コンテンツ記憶部４０１と、コンテンツ表示部４０２と、操作部４０３と、通信部４０４とを備える。コンテンツ記憶部４０１は、コンテンツを記憶する。コンテンツ表示部４０２は、ユーザが閲覧したいコンテンツを表示する。操作部４０３は、コンテンツ記憶部４０１へのコンテンツの保存、及び、コンテンツ表示部４０２へのコンテンツの表示制御を行う。通信部４０４は、ホームネットワークを介して、コンテンツ管理装置１００、及び他の宅内機器（モバイル機器３００、及びコンテンツ保存機器５００）と通信を行う。
【００６６】
コンテンツ保存機器５００は、宅内機器の一例であり、ネットワーク対応ディスク（ＮＡＳ：Ｎｅｔｗｏｒｋ  Ａｔｔａｃｈｅｄ  Ｓｔｏｒａｇｅ）、又はホームサーバであり、コンテンツを保存する。コンテンツ保存機器５００は、コンテンツ記憶部５０１と、通信部５０２とを備える。コンテンツ記憶部５０１は、コンテンツを保存する。通信部５０２は、ホームネットワークを介して、コンテンツ管理装置１００、及び他の宅内機器（モバイル機器３００、及びコンテンツ再生機器４００）と通信を行う。
【００６７】
最後に、コンテンツ管理装置１００の構成について、詳しく説明する。
【００６８】
コンテンツ管理装置１００は、通信部１０１と、アップロードコンテンツ検出部１０２と、メタ情報検出部１０３と、管理情報生成部１０４と、コンテンツ情報記憶部１０５と、宅内コンテンツ検出部１０６と、同一性検証部１０７と、リンク情報生成部１０８とを備える。
【００６９】
通信部１０１は、ホームネットワーク（宅内ルータ７００）を介して、モバイル機器３００、並びに、宅内に設置されているコンテンツ再生機器４００及びコンテンツ保存機器５００と通信を行う。また、通信部１０１は、宅内ルータ７００及びインターネット６００を介して、ＳＮＳサーバ２００と通信を行う。
【００７０】
アップロードコンテンツ検出部１０２は、ユーザが宅外からモバイル機器３００を用いて、ＳＮＳサーバ２００のコンテンツデータベース２０３にアップロードした新規のコンテンツがあるかどうかを検出する。
【００７１】
宅内コンテンツ検出部１０６は、ホームネットワークに接続された宅内機器のコンテンツ記憶部３０２、４０１及び５０１に、新たに保存された新規コンテンツがあるかどうかを検出する。
【００７２】
メタ情報検出部１０３は、アップロードコンテンツ検出部１０２で検出されたコンテンツ、及び宅内コンテンツ検出部１０６で検出された新規コンテンツにメタ情報が付加されているかどうかを検出する。
【００７３】
コンテンツ情報記憶部１０５は、インターネットを介して接続されているＳＮＳサーバ２００、及び、ホームネットワークを介して接続されている宅内機器に保存されている、ユーザが所有する全てのコンテンツを一元管理するための管理情報を保持する。このコンテンツ情報記憶部１０５は、ユーザがＳＮＳサーバ２００にアップロードしたアップロードコンテンツの管理情報を記憶するアップロードコンテンツ情報記憶部１１０と、宅内機器に保存されている宅内コンテンツの管理情報を記憶する宅内コンテンツ情報記憶部１１１とを備える。
【００７４】
図４Ａは、宅内コンテンツ情報記憶部１１１に記憶されている宅内コンテンツの管理情報の一例を示す図である。また、図４Ｂは、アップロードコンテンツ情報記憶部１１０に記憶されているアップロードコンテンツの管理情報の一例を示す図である。
【００７５】
図４Ａ及び図４Ｂに示すように、管理情報は、例えば、ユーザが所有する全てのコンテンツを一元管理するための通し番号を示すユニバーサルなインデックス（ＩＤ）と、コンテンツが保存されている機器及び場所を示す情報と、一般的なコンテンツの属性情報と、コンテンツのメタ情報と、リンク情報とを含む。属性情報は、コンテンツの解像度、作成日時及びデータサイズ等を示す。メタ情報は、Ｅｘｉｆ等の撮影情報であり、撮影日時及び撮影条件（撮影場所、カメラ設定等）等を示す。リンク情報は、当該コンテンツと同一性を有する他のコンテンツを示すリンク先の情報と、当該コンテンツがオリジナルのコンテンツであるか、コピー又は編集作業により生成されたコピーバージョンのコンテンツであるかを示す操作情報とを含む。なお、図４Ａ及び図４Ｂでは、コンテンツの保存場所として、機器の情報のみが示されているが、さらに、機器における保存位置（アドレス）も示されてもよい。
【００７６】
同一性検証部１０７は、ＳＮＳサーバ２００にアップロードされているアップロードコンテンツと、宅内コンテンツ検出部１０６で検出された新規コンテンツとの同一性を検証する。なお、２つのコンテンツが同一性を有するとは、２つのコンテンツの実質的な意味（性質）が同じものであることである。例えば、第１コンテンツが、第２コンテンツをデータ圧縮したコンテンツである場合、この２つのコンテンツは同一性を有する。具体的には、宅内コンテンツ検出部１０６で検出された新規コンテンツが、ＳＮＳサーバ２００にアップロードされているコンテンツのオリジナルである場合、この２つのコンテンツが同一性を持っていると定義する。つまり、同一性検証部１０７は、ＳＮＳサーバ２００において、コンテンツ変換部２０２によって圧縮されて保存されているコンテンツのオリジナルのコンテンツを、モバイル機器３００のコンテンツ記憶部３０２に保存されている複数のコンテンツから検出する。
【００７７】
リンク情報生成部１０８は、同一性検証部１０７によって、ＳＮＳサーバ２００にアップロードされたコンテンツと宅内コンテンツ検出部１０６で検出された新規コンテンツとが同一であると判定された場合に、２つのコンテンツが同一性を保有していることを示すリンク情報を生成する。
【００７８】
管理情報生成部１０４は、リンク情報生成部１０８で生成されたリンク情報をＳＮＳサーバ２００にアップロードされたコンテンツの管理情報、及び、宅内コンテンツ検出部１０６で検出された新規コンテンツの管理情報に埋め込む処理を行う。
【００７９】
次に、コンテンツ管理装置１００によるコンテンツ管理処理の流れを説明する。
【００８０】
図５は、コンテンツ管理処理の動作の概要を示す模式図である。図５に示すように、まず、ユーザは、宅外において、モバイル機器３００でコンテンツ８０１Ａを撮影する。そして、ユーザは、宅外からホームネットワークを介さずに、当該コンテンツ８０１ＡをＳＮＳサーバ２００にアップロードする。これにより、ＳＮＳサーバ２００には、コンテンツ８０１Ａと同一性を有するコンテンツ８０１Ｂが保持される。また、コンテンツ管理装置１００は、ＳＮＳサーバ２００にアップロードされたコンテンツ８０１Ｂを検出し、管理する。
【００８１】
次に、ユーザは、モバイル機器３００を自宅に持ち帰り、当該モバイル機器３００をホームネットワークに接続する。これにより、コンテンツ管理装置１００は、モバイル機器３００に保持されているコンテンツ８０１Ａを新規コンテンツとして検出する。そして、コンテンツ管理装置１００は、このコンテンツ８０１Ａと、ＳＮＳサーバ２００に保持されているコンテンツ８０１Ｂとの同一性を検証する。
【００８２】
以下、当該コンテンツ管理処理の流れを詳細に説明する。まず、ユーザが宅外でモバイル機器３００から、コンテンツをＳＮＳサーバ２００にアップロードしたときのコンテンツ管理装置１００の処理の流れを説明する。図６は、この時のコンテンツ管理装置１００の処理の流れを示すフローチャートである。
【００８３】
まず、アップロードコンテンツ検出部１０２は、アップロードコンテンツ情報記憶部１１０に記憶されているアップロードコンテンツの管理情報を用いて、ＳＮＳサーバ２００に、新規にアップロードされた新規アップロードコンテンツがあるかどうかを常に監視する（Ｓ１２１）。そして、新規アップロードコンテンツが検出された場合（Ｓ１２１でＹｅｓ）、アップロードコンテンツ検出部１０２は、新規アップロードコンテンツをＳＮＳサーバ２００からダウンロードする。なお、ダウンロードされた新規アップロードコンテンツは、コンテンツ管理装置１００、又は、宅内機器（例えば、コンテンツ保存機器５００のコンテンツ記憶部５０１）に保存される（Ｓ１２２）。
【００８４】
次に、メタ情報検出部１０３は、ダウンロードされた新規アップロードコンテンツにメタ情報が含まれているかを判定する（Ｓ１２３）。
【００８５】
新規アップロードコンテンツにメタ情報が含まれている場合（Ｓ１２３でＹｅｓ）、管理情報生成部１０４は、当該メタ情報と、コンテンツの属性情報（作成日時、データサイズ、解像度等）とを用いて、新規アップロードコンテンツの管理情報を生成する（Ｓ１２４）。つまり、この管理情報は、メタ情報及び属性情報を含む。
【００８６】
一方、新規アップロードコンテンツにメタ情報が含まれない場合（Ｓ１２３でＮｏ）、管理情報生成部１０４は、コンテンツの属性情報だけを用いて、新規アップロードコンテンツの管理情報を生成する（Ｓ１２５）。つまり、この管理情報は、属性情報を含む。
【００８７】
最後に、管理情報生成部１０４は、ステップＳ１２４又はＳ１２５で生成された管理情報をアップロードコンテンツ情報記憶部１１０に記憶する（Ｓ１２６）。
【００８８】
以上の処理により、ＳＮＳサーバ２００に新たなアップロードコンテンツがアップロードされる毎に、新たなアップロードコンテンツの管理情報が生成され、生成された管理情報がアップロードコンテンツ情報記憶部１１０に記憶される。
【００８９】
次に、図７を用いて、ユーザが宅外からモバイル機器３００を持ち帰って、当該モバイル機器３００をホームネットワークに初めて接続したときのコンテンツ管理装置１００の処理の流れを説明する。図７は、この時のコンテンツ管理装置１００の処理の流れを示すフローチャートである。
【００９０】
宅内コンテンツ検出部１０６は、宅内コンテンツ情報記憶部１１１に記憶されている宅内コンテンツの管理情報を用いて、ホームネットワークに新たに接続されたモバイル機器３００が備えるコンテンツ記憶部３０２に新たに保存された新規コンテンツがあるかどうかを常にチェックする（Ｓ１４１）。新規コンテンツが検出された場合（Ｓ１４１でＹｅｓ）、宅内コンテンツ検出部１０６は、モバイル機器３００が備えるコンテンツ記憶部３０２から、新規コンテンツを、ホームネットワークを介して取得する（Ｓ１４２）。
【００９１】
次に、メタ情報検出部１０３は、モバイル機器３００から取得した新規コンテンツからメタ情報を抽出する（Ｓ１４３）。
【００９２】
次に、同一性検証部１０７は、アップロードコンテンツ情報記憶部１１０に記憶されている管理情報を用いて、ＳＮＳサーバ２００にアップロードされている複数のアップロードコンテンツのうち、その管理情報の中にリンク情報が記述されていない未リンクコンテンツを抽出する（Ｓ１４４）。即ち、未リンクコンテンツは、複数のアップロードコンテンツのうち同一性を保有しているオリジナルのコンテンツが見つかっていないアップロードコンテンツである。
【００９３】
次に、同一性検証部１０７は、抽出された複数の未リンクコンテンツのいずれかを対象コンテンツとして選択する（Ｓ１４５）。そして、同一性検証部１０７は、対象コンテンツの管理情報に記述されている当該対象コンテンツの保存場所（機器番号、各機器に含まれる記憶部における保存位置等）を参照し、対象コンテンツを保存場所から読み出す。
【００９４】
そして、同一性検証部１０７は、ステップＳ１４２においてモバイル機器３００から取得した新規コンテンツと、ステップＳ１４５において選択された対象コンテンツとの同一性を検証する（Ｓ１４６）。
【００９５】
同一性を検証する方法を、以下に詳しく説明する。図８は、この同一性検証処理のフローチャートである。
【００９６】
まず、同一性検証部１０７は、選択された対象コンテンツ（アップロードコンテンツ）にメタ情報が含まれているかを判定する（Ｓ１６１）。対象コンテンツにメタ情報が含まれている場合（Ｓ１６１でＹｅｓ）、同一性検証部１０７は、新規コンテンツのメタ情報と、対象コンテンツのメタ情報とを比較することによって、２つのコンテンツの同一性を検証する（Ｓ１６２）。例えば、コンテンツが写真の場合には、同一性検証部１０７は、２つのメタ情報において、Ｅｘｉｆ等に含まれる撮影情報（撮影時刻、撮影場所、撮影機器及び撮影条件等）が一致した場合に、２つのコンテンツは同一性を有すると判定する。これにより、同一性検証部１０７は、ＳＮＳにアップロードされたコンテンツが圧縮されている場合でも、２つのコンテンツが同一性を有するか否かを判定できる。
【００９７】
一方、対象コンテンツにメタ情報が含まれていない場合（Ｓ１６１でＮｏ）、同一性検証部１０７は、２つのコンテンツのパターン照合により、当該２つのコンテンツの同一性を検証する（Ｓ１６３）。パターン照合の方法としては、従来から多くの手法が提案されているが、基本的には、同一性検証部１０７は、各コンテンツから特徴量（ブロック別の輝度情報、又は、エッジ情報に基づく特徴点等）を抽出し、その特徴量を比較することによって２つのコンテンツの類似度を求める。そして、同一性検証部１０７は、求めた類似度がある閾値以上の場合、２つのコンテンツが同一性をもっていると判定する。
【００９８】
再度、図７を参照して説明を行う。
【００９９】
このステップＳ１４５及びＳ１４６の処理は、ステップＳ１４４で抽出された全てのコンテンツに対して順次行われる（Ｓ１４７）。
【０１００】
全てのコンテンツに対する同一性検証処理が終わった場合（Ｓ１４７でＹｅｓ）、同一性検証部１０７は、ステップＳ１４４で抽出した複数の未リンクコンテンツの中に、モバイル機器３００から取得した新規コンテンツと同一性をもったコンテンツがあったかを判定する（Ｓ１４８）。つまり、同一性検証部１０７は、新規コンテンツをオリジナルとするアップロードコンテンツが存在するか否かを判定する。
【０１０１】
新規コンテンツと同一性を有するアップロードコンテンツが存在する場合（Ｓ１４８でＹｅｓ）、リンク情報生成部１０８は、当該アップロードコンテンツが新規コンテンツと同一性を有することを示すリンク情報を生成する（Ｓ１４９）。
【０１０２】
次に、管理情報生成部１０４は、新規コンテンツと同一性を有するアップロードコンテンツの管理情報に、リンク情報生成部１０８により生成されたリンク情報を埋め込み、当該管理情報をアップロードコンテンツ情報記憶部１１０に記憶する（Ｓ１５０）。
【０１０３】
また、管理情報生成部１０４は、リンク情報を含む、新規コンテンツの管理情報を生成し、生成された管理情報を、宅内コンテンツ情報記憶部１１１に記憶する（Ｓ１５１）。
【０１０４】
一方、新規コンテンツと同一性を有するコンテンツが存在しない場合（Ｓ１４８でＮｏ）、管理情報生成部１０４は、新規コンテンツの管理情報を生成し、生成された管理情報を宅内コンテンツ情報記憶部１１１に記憶する（Ｓ１５２）。具体的には、管理情報生成部１０４は、新規コンテンツに付加されているメタ情報及び属性情報を用いて、新規コンテンツの管理情報を生成する。
【０１０５】
以上が、本実施の形態に係るコンテンツ管理装置１００の動作の説明である。
【０１０６】
このように、コンテンツ管理装置１００は、ユーザによりＳＮＳサーバ２００にアップロードされたアップロードコンテンツと、複数の宅内機器に記憶されている宅内コンテンツの管理情報とを、別々に分けて記憶する。そして、コンテンツ管理装置１００は、モバイル機器３００からＳＮＳサーバ２００にコンテンツがアップロードされた後に、モバイル機器３００がホームネットワークに接続された際に、モバイル機器３００に保存されているコンテンツとアップロードコンテンツとの同一性を検証する。これにより、コンテンツ管理装置１００は、これらの２つのコンテンツが無関係なコンテンツとして二重登録されることを防ぐことができる。よって、コンテンツ管理装置１００は、ユーザによりＳＮＳサーバ２００にアップロードされたアップロードコンテンツと、複数の宅内機器に記憶されている宅内コンテンツとを一元管理することができる。
【０１０７】
また、コンテンツ管理装置１００は、コンテンツの同一性の検証処理を、宅内のコンテンツを含む全てのコンテンツについて行うのではなく、ＳＮＳサーバ２００にアップロードされたコンテンツに対してのみ行う。これにより、コンテンツ管理装置１００は、同一性の検証に要する処理時間を削減できる。
【０１０８】
さらに、コンテンツ管理装置１００は、コンテンツの同一性の検証処理を、ＳＮＳサーバ２００に新たにコンテンツがアップロードされた際には行わず、宅内機器の新規コンテンツが検出された際に行う。これにより、コンテンツ管理装置１００は、同一性の検証に要する処理時間を削減できる。
【０１０９】
また、本実施の形態は、特に、同一性の検証方法として、処理時間が長いパターン照合等を用いる場合に有効である。
【０１１０】
また、上記説明では、同一性検証部１０７は、同一性の検証処理をアップロードコンテンツに対してのみ行っているが、さらに、宅内コンテンツに対して行ってもよい。図９は、この場合の同一性検証処理のフローチャートである。図９に示す処理は、図８に示す処理に対してステップＳ１６４が追加されている。
【０１１１】
具体的には、同一性検証部１０７は、対象コンテンツが宅内コンテンツである場合（Ｓ１６４で宅内コンテンツ）、新規コンテンツのメタ情報と、対象コンテンツのメタ情報とを用いて、２つのコンテンツの同一性を検証する（Ｓ１６２）。具体的には、同一性検証部１０７は、２つのメタ情報に含まれる情報が同一の場合に、２つのコンテンツが同一性を有すると判定する。
【０１１２】
なお、対象コンテンツがアップロードコンテンツである場合の処理は、図８と同様である。
【０１１３】
（実施の形態２）
本実施の形態では、上記実施の形態１に係るコンテンツ管理装置１００の変形例について説明する。
【０１１４】
図１０は、上記実施の形態１に係るコンテンツ管理システムの課題を示す図である。図１０に示すように、通信障害（ネットワーク障害）等により、コンテンツ管理装置１００と、ＳＮＳサーバ２００との通信が行えない場合がある。このように、通信障害が発生している状況において、上述したように、ユーザが宅外からモバイル機器３００を介して、ＳＮＳサーバ２００にコンテンツ８０１Ａをアップロードし、その後、モバイル機器３００を自宅に持ち帰った場合、コンテンツ管理装置１００は、ＳＮＳサーバ２００のコンテンツ８０１Ｂを管理できていない。これにより、コンテンツ８０１Ａの管理情報は、リンク情報が付加されることなく、宅内コンテンツ情報記憶部１１１に記憶される。
【０１１５】
その後、通常障害が修復した場合、コンテンツ管理装置１００は、ＳＮＳサーバ２００にアップロードされたコンテンツ８０１Ｂを検出し、コンテンツ８０１Ｂの管理情報を生成するが、上述したように、この際には、コンテンツ８０１Ｂとコンテンツ８０１Ａとの同一性の検証処理は行われない。その結果、コンテンツ８０１Ａとコンテンツ８０１Ｂとが同一性を有することが検出されず、この二つのコンテンツが二重登録されてしまう。このように、上記実施の形態１に係るコンテンツ管理装置１００では、複数のアップロードコンテンツと、複数の宅内コンテンツとを一元管理できない場合がある。
【０１１６】
本実施の形態に係るコンテンツ管理装置１００Ａは、この課題を解決する。コンテンツ管理装置１００Ａは、ＳＮＳサーバ２００に、アップロードコンテンツの確認を最後に行った日時を示す確認時刻を記憶する。そして、コンテンツ管理装置１００Ａは、新規コンテンツの検出時に、当該新規コンテンツが、上記確認時刻よりも後に撮影されたコンテンツであるかを判定する。新規コンテンツが、確認時刻よりも後に撮影されたコンテンツの場合、コンテンツ管理装置１００Ａは、このタイミングで同一性の検証処理を行わず、確認時刻が更新された後に、同一性の検証処理を行う。これにより、コンテンツ管理装置１００Ａは、上述した課題を解決できる。
【０１１７】
以下、本実施の形態に係るコンテンツ管理装置１００Ａ及びその動作を説明する。なお、以下では、実施の形態１との相違点を主に説明し、重複する説明は省略する。
【０１１８】
図１１は、本実施の形態に係るコンテンツ管理装置１００Ａのブロック図である。図１１に示すコンテンツ管理装置１００Ａは、図３に示すコンテンツ管理装置１００に対して、さらに、アップロード確認時刻記憶部１１３を備える。また、コンテンツ情報記憶部１０５Ａ及び同一性検証部１０７Ａの機能が、コンテンツ情報記憶部１０５及び同一性検証部１０７と異なる。
【０１１９】
アップロード確認時刻記憶部１１３は、アップロードコンテンツ検出部１０２が、ＳＮＳサーバ２００に、アップロードコンテンツの確認を最後に行った日時を示すアップロード確認時刻を記憶する。つまり、アップロード確認時刻は、通信障害等が発生しておらず、アップロードコンテンツ検出部１０２が、アップロードコンテンツを正常に確認した最後の時刻である。ここで、アップロードコンテンツ検出部１０２は、ＳＮＳサーバ２００に新たにアップロードされたコンテンツを検出するために、ＳＮＳサーバ２００にアップロードされているコンテンツを、ある一定時間毎に確認する。また、アップロードコンテンツ検出部１０２は、当該確認が正常に行われるごとに、現在の日時にアップロード確認時刻記憶部１１３に保持されているアップロード確認時刻を更新する。
【０１２０】
コンテンツ情報記憶部１０５Ａは、コンテンツ情報記憶部１０５の構成に加え、さらに、未検証コンテンツ情報記憶部１１２を備える。未検証コンテンツ情報記憶部１１２は、同一性検証部１０７Ａにより同一性の検証が行われていない未検証コンテンツの管理情報を記憶する。
【０１２１】
同一性検証部１０７Ａは、同一性検証部１０７の動作に加え、宅内の新規コンテンツが検出された場合、同一性検証処理を行うか否かを判定する。具体的には、同一性検証部１０７Ａは、新規コンテンツの撮影時刻と、アップロード確認時刻記憶部１１３に記憶されているアップロード確認時刻とを比較する。そして、撮影時刻がアップロード確認時刻より前の場合、同一性検証部１０７Ａは、新規コンテンツとアップロードコンテンツとの同一性を検証する。
【０１２２】
一方、撮影時刻が確認時刻より後の場合、通信障害等が発生している可能性があるので、同一性検証部１０７Ａは、この時点では、新規コンテンツの同一性は検証しない。また、同一性が未検証の新規コンテンツの管理情報が生成され、未検証コンテンツ情報記憶部１１２に記憶される。そして、同一性検証部１０７Ａは、確認時刻が更新されることで、撮影時刻が更新後の確認時刻より後になった後に、未検証の新規コンテンツとアップロードコンテンツとの同一性を検証する。
【０１２３】
次に、コンテンツ管理装置１００Ａの動作の流れを説明する。
【０１２４】
なお、ユーザが宅外でモバイル機器３００から、コンテンツをＳＮＳサーバ２００にアップロードしたときのコンテンツ管理装置１００Ａの処理は、実施の形態１と同様である。
【０１２５】
以下、図１２を用いて、ユーザが宅外からモバイル機器３００を持ち帰って、当該モバイル機器３００をホームネットワークに初めて接続したときのコンテンツ管理装置１００Ａの処理の流れを説明する。図１２は、この時のコンテンツ管理装置１００Ａの処理の流れを示すフローチャートである。
【０１２６】
宅内コンテンツ検出部１０６は、宅内コンテンツ情報記憶部１１１に記憶されている宅内コンテンツの管理情報を用いて、ホームネットワークに新たに接続されたモバイル機器３００のコンテンツ記憶部３０２に新たに保存された新規コンテンツがあるかどうかを常にチェックする（Ｓ２０１）。新規コンテンツが検出された場合（Ｓ２０１でＹｅｓ）、宅内コンテンツ検出部１０６は、モバイル機器３００のコンテンツ記憶部３０２から、新規コンテンツを、ホームネットワークを介して取得する（Ｓ２０２）。
【０１２７】
次に、メタ情報検出部１０３は、モバイル機器３００から取得した新規コンテンツからメタ情報を抽出する。具体的には、メタ情報検出部１０３は、メタ情報に含まれる新規コンテンツの撮影時刻を取得する（Ｓ２０３）。
【０１２８】
次に、同一性検証部１０７Ａは、アップロード確認時刻記憶部１１３に記憶されているアップロード確認時刻を読み出す（Ｓ２０４）。そして、同一性検証部１０７Ａは、新規コンテンツの撮影時刻と、アップロード確認時刻とを比較する（Ｓ２０５）。
【０１２９】
新規コンテンツの撮影時刻がアップロード確認時刻より後である場合（Ｓ２０５でＹｅｓ）、同一性検証部１０７Ａは、この時点では同一性の検証処理を行わない。また、管理情報生成部１０４は、新規コンテンツの管理情報を生成し、生成された管理情報を未検証コンテンツ情報記憶部１１２に記憶する（Ｓ２０６）。
【０１３０】
一方、新規コンテンツの撮影時刻がアップロード確認時刻より前である場合、実施の形態１と同様の処理（図７に示すステップＳ１４４以降の処理）が行われる（Ｓ２０７）。
【０１３１】
次に、アップロード確認時刻が更新された場合のコンテンツ管理装置１００Ａの動作を説明する。図１３は、この動作のフローチャートである。
【０１３２】
同一性検証部１０７Ａは、アップロード確認時刻記憶部１１３に記憶されているアップロード確認時刻が更新されたかどうかを常にチェックする（Ｓ２２１）。アップロード確認時刻が更新された場合（Ｓ２２１でＹｅｓ）、同一性検証部１０７Ａは、未検証コンテンツが存在するかを確認する（Ｓ２２２）。具体的には、同一性検証部１０７Ａは、未検証コンテンツ情報記憶部１１２に未検証コンテンツの管理情報が保持されているかを確認する。
【０１３３】
未検証コンテンツが存在する場合（Ｓ２２２でＹｅｓ）、同一性検証部１０７Ａは、未検証コンテンツの管理情報を参照し、当該未検証コンテンツの保存場所から未検証コンテンツを取得する（Ｓ２２３）。
【０１３４】
次に、メタ情報検出部１０３は、取得された未検証コンテンツからメタ情報を抽出する（Ｓ２２４）。
【０１３５】
次に、同一性検証部１０７Ａは、アップロードコンテンツ情報記憶部１１０に記憶されている管理情報を用いて、ＳＮＳサーバ２００にアップロードされている複数のアップロードコンテンツのうち、その管理情報の中にリンク情報が記述されていない未リングコンテンツを抽出する（Ｓ２２５）。
【０１３６】
次に、同一性検証部１０７Ａは、抽出された複数の未リングコンテンツのいずれかを選択する（Ｓ２２６）。そして、同一性検証部１０７Ａは、選択された対象コンテンツの管理情報に記述されている当該対象コンテンツの保存場所を参照し、対象コンテンツを保存場所から読み出す。
【０１３７】
そして、同一性検証部１０７Ａは、未検証コンテンツと対象コンテンツとの同一性を検証する（Ｓ２２７）。なお、この同一性検証処理の詳細は、実施の形態１と同様である。
【０１３８】
このステップＳ２２６及びＳ２２７の処理は、ステップＳ２２５で抽出された全てのコンテンツに対して順次行われる（Ｓ２２８）。
【０１３９】
全てのコンテンツに対する同一性検証処理が終わった場合（Ｓ２２８でＹｅｓ）、同一性検証部１０７Ａは、ステップＳ２２５で抽出した複数のコンテンツの中に、未検証コンテンツと同一性をもつコンテンツがあったかを判定する（Ｓ２２９）。つまり、同一性検証部１０７Ａは、未検証コンテンツをオリジナルとするアップロードコンテンツが存在するか否かを判定する。
【０１４０】
未検証コンテンツと同一性を有するアップロードコンテンツが存在する場合（Ｓ２２９でＹｅｓ）、リンク情報生成部１０８は、当該アップロードコンテンツが未検証コンテンツと同一性を有することを示すリンク情報を生成する（Ｓ２３０）。
【０１４１】
次に、管理情報生成部１０４は、未検証コンテンツと同一性を有するアップロードコンテンツの管理情報に、リンク情報生成部１０８により生成されたリンク情報を埋め込み、当該管理情報をアップロードコンテンツ情報記憶部１１０に記憶する（Ｓ２３１）。
【０１４２】
また、管理情報生成部１０４は、未検証コンテンツの管理情報に、リンク情報を埋め込み、当該管理情報を宅内コンテンツ情報記憶部１１１に記憶する（Ｓ２３２）。また、管理情報生成部１０４は、未検証コンテンツ情報記憶部１１２から未検証コンテンツの管理情報を削除する（Ｓ２３３）。
【０１４３】
一方、コンテンツと同一性を有するコンテンツが存在しない場合（Ｓ２２９でＮｏ）、管理情報生成部１０４は、未検証コンテンツ情報記憶部１１２に記憶されている未検証コンテンツの管理情報を、宅内コンテンツ情報記憶部１１１に記憶するとともに、未検証コンテンツ情報記憶部１１２から未検証コンテンツの管理情報を削除する（Ｓ２３３）。
【０１４４】
以上より、コンテンツ管理装置１００Ａは、ＳＮＳサーバ２００に、アップロードコンテンツの確認を最後に行った日時を示すアップロード確認時刻を記憶する。そして、コンテンツ管理装置１００Ａは、新規コンテンツの検出時に、当該新規コンテンツが、アップロード確認時刻よりも後に撮影されたコンテンツであるかを判定する。新規コンテンツが、アップロード確認時刻よりも後に撮影されたコンテンツの場合、コンテンツ管理装置１００Ａは、このタイミングで同一性の検証処理を行わず、アップロード確認時刻が更新された後に、同一性の検証処理を行う。これにより、コンテンツ管理装置１００Ａは、通信障害等が発生した場合でも、正しくコンテンツの同一性を検証できる。
【０１４５】
以上、本発明の実施の形態に係るコンテンツ管理装置について説明したが、本発明は、この実施の形態に限定されるものではない。
【０１４６】
例えば、上記説明では、画像パターンを認証することで同一性を検証する場合を例に説明したが、他の方法により同一性を検証する場合に、本発明を適用してもよい。例えば、メタ情報等の付加情報を用いる場合にも本発明を適用してもよい。この場合でも、同一性を検証する対象を、アップロードコンテンツのみに絞り込むことができるので、処理時間の短縮を実現できる。
【０１４７】
また、上記説明では、ホームネットワークを介して接続された宅内機器に保持されているコンテンツを管理する例を述べたが、ホームネットワーク以外のネットワークに接続された機器に保持されているコンテンツを管理する場合にも本発明を適用できる。
【０１４８】
また、上記説明では、コンテンツ情報記憶部１０５（１０５Ａ）は、アップロードコンテンツ情報記憶部１１０と、宅内コンテンツ情報記憶部１１１とを備える。アップロードコンテンツ情報記憶部１１０と、宅内コンテンツ情報記憶部１１１とは、異なるメモリデバイスで実現されてもよいし、単一のメモリデバイスに含まれる、異なるメモリ領域として実現されもよい。さらに、アップロードコンテンツの管理情報と、宅内コンテンツの管理情報とを区別する方法は、格納領域を分ける方法に限らず、各管理情報にフラグ情報等を付加する方法、又は、アップロードコンテンツ又は宅内コンテンツを特定する情報（ＩＤ等）を記憶する方法でも実現できる。
【０１４９】
また、上記説明では、モバイル機器３００がホームネットワークに接続される場合を例に説明したが、モバイル機器３００が宅内機器に接続され、当該宅内機器にモバイル機器３００に保持されているコンテンツを移動又はコピーした場合の動作も上記と同様である。
【０１５０】
また、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１５１】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、及びＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１５２】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ、及びＲＡＭなどから構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０１５３】
また、本発明は、上記に示す方法であるとしてもよい。また、これらの方法をコンピュータにより実現するコンピュータプログラムであるとしてもよいし、上記コンピュータプログラムからなるデジタル信号であるとしてもよい。
【０１５４】
さらに、本発明は、上記コンピュータプログラム又は上記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、ＵＳＢメモリ、ＳＤカードなどのメモリカード、又は半導体メモリなどに記録したものとしてもよい。また、本発明は、これらの記録媒体に記録されている上記デジタル信号であるとしてもよい。
【０１５５】
また、本発明は、上記コンピュータプログラム又は上記デジタル信号を、電気通信回線、無線或いは有線通信回線、インターネットを代表とするネットワーク、又はデータ放送等を経由して伝送するものとしてもよい。
【０１５６】
また、本発明は、マイクロプロセッサとメモリとを備えたコンピュータシステムであって、上記メモリは、上記コンピュータプログラムを記憶しており、上記マイクロプロセッサは、上記コンピュータプログラムに従って動作するとしてもよい。
【０１５７】
また、上記プログラム或いは上記デジタル信号を上記記録媒体に記録して移送することにより、又は、上記プログラム或いは上記デジタル信号を、上記ネットワーク等を経由して移送することにより、独立した他のコンピュータシステムにより上記装置を実施するとしてもよい。
【０１５８】
また、上記で用いた数字は、全て本発明を具体的に説明するために例示するものであり、本発明は例示された数字に制限されない。
【０１５９】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１６０】
また、上記コンテンツ管理方法に含まれる複数のステップが実行される順序は、本発明を具体的に説明するために例示するためのものであり、上記以外の順序であってもよい。また、上記ステップの一部が、他のステップと同時（並列）に実行されてもよい。
【０１６１】
以上、一つまたは複数の態様に係るコンテンツ管理装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１６２】
本発明は、コンテンツ管理装置に適用できる。
【符号の説明】
【０１６３】
１００、１００Ａ  コンテンツ管理装置
１０１、２０１、３０３、４０４、５０２  通信部
１０２  アップロードコンテンツ検出部
１０３  メタ情報検出部
１０４  管理情報生成部
１０５、１０５Ａ  コンテンツ情報記憶部
１０６  宅内コンテンツ検出部
１０７、１０７Ａ  同一性検証部
１０８  リンク情報生成部
１１０  アップロードコンテンツ情報記憶部
１１１  宅内コンテンツ情報記憶部
１１２  未検証コンテンツ情報記憶部
１１３  アップロード確認時刻記憶部
２００  ＳＮＳサーバ
２０２  コンテンツ変換部
２０３  コンテンツデータベース
３００  モバイル機器
３０１  カメラ
３０２、４０１、５０１  コンテンツ記憶部
４００  コンテンツ再生機器
４０２  コンテンツ表示部
４０３  操作部
５００  コンテンツ保存機器
６００  インターネット
７００  宅内ルータ
【図１】
0006047487.tif 000002
【図２】
0006047487.tif 000003
【図３】
0006047487.tif 000004
【図４Ａ】
0006047487.tif 000005
【図４Ｂ】
0006047487.tif 000006
【図５】
0006047487.tif 000007
【図６】
0006047487.tif 000008
【図７】
0006047487.tif 000009
【図８】
0006047487.tif 000010
【図９】
0006047487.tif 000011
【図１０】
0006047487.tif 000012
【図１１】
0006047487.tif 000013
【図１２】
0006047487.tif 000014
【図１３】
0006047487.tif 000015